(57)【特許請求の範囲】
【請求項１】
記録媒体に概ね平行に対向する媒体対向面を有する媒体対向層と、該媒体対向層の上に設けられたスライダ本体と、少なくとも一部が前記記録媒体に対向するよう設けられた記録及び再生の少なくとも一方を行うヘッドと、該ヘッドに接続された配線パターンと、該配線パターンの他端に接続され、且つ前記媒体対向層からスライダ本体の背面に至る柱状導体端子とを具備するヘッドスライダにおいて、少なくとも前記柱状導体端子の先端部の高さが前記スライダ本体よりも高い部分として複数の突起を設け、これらの複数の突起のみがヘッド支持ばね組立体と結合され、これらの複数の突起の幾つかは、ヘッド支持ばね組立体の側に設けた端子と電気的に接続されていることを特徴とするヘッドスライダ。
【請求項２】
記録媒体に概ね平行に対向する媒体対向面を有する媒体対向層と、該媒体対向層の上に設けられたスライダ本体と、前記媒体対向層の一部と該スライダ本体の一部を少なくとも媒体対向面内で微小移動させる微小移動アクチュエータと、該微小移動アクチュエータで駆動され、且つ少なくとも一部が記録媒体に対向するよう設けられた記録及び再生の少なくとも一方を行うヘッドと、前記微小移動アクチュエータまたは該記録再生ヘッドに接続された配線パターンと、該配線パターンの他端に接続され、且つ媒体対向層からスライダ本体の背面に至る柱状導体端子とを具備するヘッドスライダにおいて、少なくとも前記柱状導体端子の先端部の高さが前記スライダ本体よりも高いことを特徴とするヘッドスライダ。
【発明の詳細な説明】
【０００１】
【発明の属する技術分野】
本発明は情報記録再生装置のヘッドスライダに関し、特に、ヘッドスライダの背面（媒体対向面の反対）側に端子を有するヘッドスライダとヘッド支持ばねとの電気的および機械的結合方法を改良したヘッドスライダ及びヘッド支持ばね組立体に関するものである。
【０００２】
【従来の技術】
ヘッドスライダに搭載された記録再生ヘッドおよび微小移動アクチュエータへの信号線や電源線のヘッド支持ばねへの引き出しをヘッドスライダ背面で行う場合の引き出し方法として、例えば特願平７−４１５７４号に開示され、この技術では、スライダの背面に露出した導体層とヘッド支持ばねのヘッドスライダ側の面に露出した導体との間を接着またはボンディングする方法が開示されている。また、ある公知例（特開平６−３３８０１８）にはハードディスク用薄膜配線付きサスペンション部品の磁気ヘッド端子として、サスペンションの導体部分に微小突起を設ける方法が開示されている。また、他の公知例（例えば、特開平７−１９２４２１号公報）ではスライダの一面に凸部を設け、この凸部形状に対応する切欠部をサスペンションの側に設けて両者を位置決めする方法が示されている。
【０００３】
【発明が解決しようとする課題】
本発明は前述の従来技術によるヘッドスライダ又はヘッドスライダとヘッド支持ばねの組立体と比べて端子部分の接触を確実に行い、両者間の熱膨張率差等によるスライダの変形を防止し、またヘッド支持ばね組立体全体のコストの低減を図ることを課題とする。
【０００４】
【課題を解決するための手段】
本発明によると、記録媒体に対して浮上又は接触しながら情報の記録及び再生の少なくとも一方を行う磁気ヘッド素子を有するヘッドスライダの記録媒体対向面の背面に、高さの異なる部分として複数の突起を設け、これらの複数の突起のみがヘッド支持ばね組立体と結合され、これらの複数の突起の幾つかは、ヘッド支持ばね組立体の側に設けた端子と電気的に接続されていることを特徴とするヘッドスライダとヘッド支持ばねとの組立体が提供される。
【０００５】
このような構成により、ヘッドスライダとヘッド支持ばねとの結合に関し、電気的結合についてはスライダの端子部を他の部分よりも高くし、また、機械的結合に関してはスライダの背面の限定された個所のみを周囲より高くすることで行うことが可能である。これにより、限定された個所近傍に高い面圧をかけることが可能となるので、ヘッドスライダとヘッド支持ばねとの機械的結合がより確実に行え、且つコスト低減が可能となる。また、環境温度の変化に対しても、ヘッド支持ばねとスライダの材料の線膨張差によって、スライダと支持ばねにかかる応力を、両者間が結合されていない部分で緩衝することができ、線膨張差によるスライダの変形を防止できる。
【０００６】
ヘッドスライダの前記背面の中央部に突起を具備し、該突起がヘッド支持ばねに接着剤にて固定されていることを特徴とする。このように、本発明によれば、ヘッドスライダとヘッド支持ばねとを接着等で結合可能となる。
ヘッドスライダの前記背面の中央部に複数の突起を具備し、該複数の突起がヘッド支持ばねに接着剤にて固定されていると共に、該複数の突起を介してヘッドスライダ側とヘッド支持ばね側との電気的接続が行われることを特徴とする。
【０００７】
また、本発明によると、記録媒体に概ね平行に対向する媒体対向面を有する媒体対向層と、該媒体対向層の上に設けられたスライダ本体と、少なくとも一部が前記記録媒体に対向するよう設けられた記録及び再生の少なくとも一方を行うヘッドと、該ヘッドに接続された配線パターンと、該配線パターンの他端に接続され、且つ前記媒体対向層からスライダ本体の背面に至る柱状導体端子とを具備するヘッドスライダにおいて、少なくとも前記柱状導体端子の先端部の高さが前記スライダ本体よりも高い部分として複数の突起を設け、これらの複数の突起のみがヘッド支持ばね組立体と結合され、これらの複数の突起の幾つかは、ヘッド支持ばね組立体の側に設けた端子と電気的に接続されていることを特徴とするヘッドスライダが提供される。
【０００８】
更にまた、本発明によると、記録媒体に概ね平行に対向する媒体対向面を有する媒体対向層と、該媒体対向層の上に設けられたスライダ本体と、前記媒体対向層の一部と該スライダ本体の一部を少なくとも媒体対向面内で微小移動させる微小移動アクチュエータと、該微小移動アクチュエータで駆動され、且つ少なくとも一部が記録媒体に対向するよう設けられた記録及び再生の少なくとも一方を行うヘッドと、前記微小移動アクチュエータまたは該記録再生ヘッドに接続された配線パターンと、該配線パターンの他端に接続され、且つ媒体対向層からスライダ本体の背面に至る柱状導体端子とを具備するヘッドスライダにおいて、少なくとも前記柱状導体端子の先端部の高さが前記スライダ本体よりも高いことを特徴とするヘッドスライダが提供される。
【０００９】
【発明の実施の形態】
図１（ａ）〜（ｃ）に本発明を適用可能な磁気ヘッドスライダを示す。このようなスライダの基本構成は、特願平７−４１５７４号に記載されている。図１（ａ）は支持ばね３０に装着する前のスライダ２０を背面（浮上面とは反対側の面）から見た斜視図であり、図１（ｂ）は支持ばね３０に装着したスライダ２０を浮上面の側から見た斜視図であり、図１（ｃ）は図１（ａ）の線Ａ−Ａ′における断面を示す図である。
【００１０】
スライダ２０は、ＳｉＯ2 ，Ａｌ2 Ｏ3 等から成る浮上面部２１の背面にＮｉ等の導体から成るスライダ本体部２２を形成したものである。スライダ本体部２２は、その中央部に端子引き出しパッド部２３と外周部２４とから成り、パッド部２３はディスクの進行方向Ｂと平行な方向及びそれに直交する方向に複数配列され、各パッド部２３間及びパッド部２３と外周部２４との間は所定間隔の空隙２５を有する。端子ないし端子引き出しパッド部２３は２組、４個あり、１組はリードヘッド素子（ＭＲ素子）用、１組はライトヘッド素子（インダクティブヘッド素子）用である。尚、リード／ライトヘッド素子を兼用した場合は、端子は１組、２個で良い。これらの空隙２５内には、浮上面部２１の背面を覆うようにポリイミド等の樹脂２６が配置されている。なお、スライダ本体部２２の外周部２４が端子引き出しパッド部の１つを兼ねてもよい。
【００１１】
スライダ２０はその背面の側が、図１（ａ）に示すように、支持ばね３０に装着される。スライダ２０の浮上面部２１の側には、図１（ｂ）に示すように、ディスクの進行方向Ｂに略平行な２本の両側レール２７、流入端中央部に中心レール２８、薄膜ヘッド２９が形成されている。また、両側レール２７および中心レール２８の流入端にはテーパ部２７ａ，２８ａが形成されている。
【００１２】
上記特願平７−４１５７４号に記載されている、スライダ２０と支持ばね３０の接続部は図２（比較例）に示すように構成されていた。スライダ２０上の端子引き出しパッド部２３と本体外周部２４の背面にボンディング用金属３１を形成しておき、端子導体部３２を形成した支持ばね３０と熱圧着、超音波圧着等のボンディング（Ｃ）あるいは導電性接着剤によるボンディングを行う。この際、端子引き出しパッド部２３と支持ばね３０の接続部は電気的接続と機械的接続を兼ね、スライダ本体部の外周部２４は機械的接続の役目を果たす。スライダ本体部の外周部２４も端子引き出しパッドのひとつを兼ねている場合には、全ての接続部が電気的接続と機械的接続を兼ねることとなる。
【００１３】
次に、図３に本発明の最も好適なヘッドスライダの実施形態を平面図（ａ）および断面図（ｂ）で示す。前述の特願平７−４１５７４号に記載のヘッドスライダと同様、図示しない基板上に後工程で溶解・除去される犠牲層（例えば厚さ１ないし２μｍのアルミ層）を介して媒体対向層１０（例えば厚さ５μｍ程度のＳｉＯ2 層）、スライダ本体層１２（例えば厚さ１００μｍのＮｉメッキ層）およびスライダ本体の一部に設けられた微小移動静電アクチュエータ１４（例えば厚さ５μｍ程度のＮｉメッキ）、静電アクチュエータ可動部１１ｂの媒体対向面側に設けられた記録再生ヘッド１６等が形成される。媒体対向層１０は、図示していない情報記録媒体に対向し、媒体に接触もしくは狭い空気膜を介してスライダを浮上させるための媒体対向面１１を備える。静電アクチュエータ１４はスライダ本体に対して変位しない固定部１４ａと、スライダ本体に対して変位可能に支持された可動部１４ｂを有し、固定部１４ａと可動部１４ｂとの間での通電により、少なくとも媒体面に平行に記録媒体のトラック幅方向（図３（ａ）の平面図中の矢印方向）に概ねμｍオーダーの微小範囲で変位する。また、必要に応じて記録再生ヘッド１６と記録媒体（図示せず）との距離を調節する方向（図３（ｂ）のＡＡ断面図中の矢印方向）にも概ねμｍオーダーの微小範囲で変位する。なお、このような静電アクチュエータ１４は特願平７−２３６９１０号に示されている。
【００１４】
スライダ中央部にはスライダ本体層１２と同一材料（Ｎｉ）の４つの柱状導体端子１８が設けられ、これらの柱状導体端子１８は、媒体対向層１０の内部に設けられた導体パターン（図示せず）を介して静電アクチュエータ１４の可動部１４ｂ、固定部１４ａ、及び記録再生ヘッド１６にそれぞれ接続されている。柱状導体端子１８の基部には、これらの柱状導体端子１８の形成前の工程である、静電アクチュエータ１４の形成と同一工程でＮｉメッキで初期段差４０（例えばφ２０μｍ、段差５μｍ）が形成される。その後にスライダ本体層１２とともにＮｉメッキで柱状導体端子１８を形成し、それらの柱状導体端子１８の先端には初期段差４０とほぼ相似形状の突起４２が形成される。これらの突起４２はスライダの柱状導体端子１８とヘッド支持ばね３０の端子３２（図４）の電気的接触を確実にするためのものである。また、本実施形態においては、柱状導体端子１８の先端以外の部分にも同様の初期段差４１を設け、スライダ背面に突起４３を形成し、スライダとヘッド支持ばね３０の機械的固定を限定された箇所で確実に行うためのものである。例えば、図３に示す実施形態では、流出端側の中央で静電アクチュエータ１４に隣接する位置に初期段差４１を設け、それの背面側（図３（ｂ）の上部）に突起４３を形成している。また、流入端に近い側に２個所の突起４４を形成している。
【００１５】
図４に本発明のヘッド支持ばね組立体の実施形態を示す。スライダ２０の背面側に設けられたヘッド支持ばね３０は、例えば２０μｍ厚のステンレス板からなり、スライダ２０側の表面には絶縁層４６（例えば２μｍのポリイミド）を介して導体端子３２（例えば２μｍのＡｕ）が設けられている。スライダ２０とヘッド支持ばね３０とは前記突起４２，４３，４４の位置において接着剤４８にて相互に固定される。接着剤４８には導体粉入りのものを用いると電気的接触はさらに良くなる。また、柱状導体端子１８以外の部分においても同様の接着を行うことにより機械的強度が増強される。機械的結合は突起４２，４３，４４近傍のみで限定的に行われるので環境温度の変化に対してもスライダ２０とヘッド支持ばね３０の材料の線膨張差によるスライダ２０の変形を最小限に留めることができる。この構成の場合、スライダ２０が突起４２，４３，４４を有するので、ヘッド支持ばね３０には突起を持たせる必要がない。前述のように、スライダ２０の突起４２，４３は静電アクチュエータ１４の形成と同一工程で初期段差４０，４１を形成することができるので、突起形成のための専用工程を必要とせず、コスト低減を図ることができる。また、薄い金属板からなる支持ばね３０に突起を設ける場合に比べて、Ｓｉ基板やセラミック基板上に作るスライダ２０に突起を設ける方が突起の位置精度を高め易いという利点もある。
【００１６】
図５に本発明のヘッドスライダの第二の実施形態を平面図（ａ）及び断面図（ｂ）で示す。本スライダの基本構造も前述の特願平７−４１５７４号に記載のものと同じである。図３（ａ），（ｂ）に示したスライダと異なる点は記録再生ヘッドを微小移動させるための微小移動アクチュエータを備えていないことである。このような構造のスライダにおいても同様の突起で電気的および機械的接触をとることができる。ただし、前記の実施形態では、静電アクチュエータを形成する工程で適度な段差を有する構成物を形成し、それを利用して突起を形成していたが、本実施形態では、別途初期段差を設けた後、それを利用して突起を形成するか、あるいはスライダ本体形成後にあらためて突起を形成することになるが、突起形成工程を他の工程と兼ねて行うことができなくなることを除いて図３（ａ），（ｂ）に示す実施形態における利点を全て享受できる。なお、図５（ａ），（ｂ）に示す実施形態では、図３（ａ），（ｂ）及び図４と同じ番号で同一の部材を示しているので、これらの部材に関する詳細な説明を省略する。
【００１７】
図６に本発明のヘッドスライダの更に他の実施形態を平面図及び断面図で示す。この実施形態では、従来型のスライダ（即ち、特願平７−４１５７４号に記載した製法によらずに作製されたスライダ）において、スライダ２０とヘッド支持ばね３０の結合に本発明の方法を適用したものである。スライダ２０の中央に１個所突起５０を設け、この突起５０をヘッド支持ばね３０に接着する。突起５０の形成は機械加工または金属粉の印刷等の方法で行う。スライダ２０側の端子（図示せず）とヘッド支持ばね３０の端子（図示せず）との間の電気的接続は、スライダ２０の縁部においてＡｕボンディング５２等で行う。
【００１８】
【発明の効果】
以上に述べた本発明の構成により、ヘッドスライダとヘッド支持ばねとの電気的接触はより確実となり、両者間の熱膨張率差等によるスライダの変形は最小となり、さらにコストの低減を図ることができる。
【図面の簡単な説明】
【図１】本発明を適用可能な磁気ヘッドスライダを示すもので、（ａ）は組み付け前のスライダの背面とヘッド支持ばねとを斜視図で示し、（ｂ）は組み付け後のスライダの浮上面を斜視図で示し、（ｃ）はＡ−Ａ′断面を示す。
【図２】ヘッドスライダとヘッド支持ばねの組立体（比較例）を示す断面図である。
【図３】本発明の第一実施形態に係るヘッドスライダの平面図（ａ）及び断面図（ｂ）である。
【図４】本発明の第一実施形態に係るヘッドスライダとヘッド支持ばねとの組立体の断面図である。
【図５】本発明の第二実施形態に係るヘッドスライダの平面図（ａ）及び断面図（ｂ）である。
【図６】本発明の第三実施形態に係るヘッドスライダの平面図（ａ）及び断面図（ｂ）である。
【符号の説明】
１０…媒体対向層
１１…媒体対向面
１２…スライダ本体
１４…微小静電アクチュエータ
１６…記録再生ヘッド
１８…端子
２０…ヘッドスライダ
３０…ヘッド支持ばね
４０，４１…初期段差
４２，４３，４４…突起
４８…接着剤
４６…絶縁層
５０…突起
【図１】
0003794789.tif 000002
【図２】
0003794789.tif 000003
【図３】
0003794789.tif 000004
【図４】
0003794789.tif 000005
【図５】
0003794789.tif 000006
【図６】
0003794789.tif 000007